(57)【要約】【課題】遊技機の組み付けの際に発光演出装置の導光板に傷が付くのを抑制することが可能な遊技機を提供する。【解決手段】パチンコ遊技機において、上部端面２５Ｅから入射した光を前方の表示面２５Ｆに導光して発光させる導光板２５Ａと、導光板２５Ａの上部端面２５Ｅに向けて光を出射するＬＥＤ発光基板２５Ｂとを有する発光演出装置２５と、表示面２５Ｆを縁取るように配置される装飾部材２２，２３，２４とを有する。そして、装飾部材２２，２３，２４における表示面２５Ｆとの対向面２２Ａ，２３Ａ，２４Ａに、表示面２５Ｆと接触する際に曲面部２２Ｃ，２３Ｃ，２４Ｃが接触するように表示面２５Ｆ側に突出形成された突起部２２Ｂ，２３Ｂ，２４Ｂを有している。【選択図】図１３
2015077224.tif 000002
【特許請求の範囲】
【請求項１】
端面から入射した光を表示面に導光して発光させる導光板と、該導光板の前記端面に向けて光を出射する光源とを有する発光演出装置と、
前記導光板を縁取るように配置される装飾部材とを有し、
該装飾部材における前記表示面又は該表示面の反対面との対向面に、前記表示面又は前記反対面と接触する際に曲面部が接触するように前記表示面又は前記反対面側に突出形成された突出接触部を有していることを特徴とする遊技機。
【発明の詳細な説明】
【技術分野】
【０００１】
本発明は、遊技機に関し、特に、発光演出装置を備えた遊技機に関するものである。
【背景技術】
【０００２】
従来、パチンコ遊技機等の遊技機の中には、外周端面から入射した光を反射させて前方の表示面に導光して発光させる導光板と、導光板の外周端面に向けて光を出射する光源とを有する発光演出装置を備えており、この発光演出装置によって所定の発光演出を行うものがある（例えば、特許文献１参照。）。
【先行技術文献】
【特許文献】
【０００３】
【特許文献１】特開２０１０−１１９６６４号公報
【発明の概要】
【発明が解決しようとする課題】
【０００４】
ここで、前記したような従来のパチンコ遊技機では、発光演出装置の導光板を縁取るように装飾部材を配置することがある。しかしながら、パチンコ遊技機の組み付けの際に、装飾部材を発光演出装置の導光板の表示面や裏面に誤って接触させてしまったり、装飾部材で導光板の表示面等を擦ってしまったりして、導光板の表示面等を傷付ける虞があった。
【０００５】
本発明は、このような事情に鑑みてなされたものであり、遊技機の組み付けの際に発光演出装置の導光板に傷が付くのを抑制することが可能な遊技機を提供することを目的とする。
【課題を解決するための手段】
【０００６】
かかる課題を解決するために、本発明の請求項１に記載の発明は、端面から入射した光を表示面に導光して発光させる導光板と、該導光板の前記端面に向けて光を出射する光源とを有する発光演出装置と、前記導光板を縁取るように配置される装飾部材とを有し、該装飾部材における前記表示面又は該表示面の反対面との対向面に、前記表示面又は前記反対面と接触する際に曲面部が接触するように前記表示面又は前記反対面側に突出形成された突出接触部を有している遊技機としたことを特徴とする。
【０００７】
請求項１に係る発明によれば、遊技機の組み付けの際に発光演出装置の導光板に傷が付くのを抑制することが可能となる。
【図面の簡単な説明】
【０００８】
【図１】本発明の実施の形態におけるパチンコ遊技機の正面図である。
【図２】同パチンコ遊技機の遊技盤ユニットの斜視図である。
【図３】図２の遊技盤ユニットの分解斜視図である。
【図４】同パチンコ遊技機の遊技盤ユニットから遊技盤を外した状態の正面図である。
【図５】図４のＡ−Ａ断面図である。
【図６】図４のＢ−Ｂ断面図である。
【図７】同パチンコ遊技機の上装飾部材の正面図である。
【図８】同パチンコ遊技機の上装飾部材の裏面図と突起部付近の拡大図である。
【図９】同パチンコ遊技機の上装飾部材の上面図と突起部付近の拡大図である。
【図１０】同パチンコ遊技機の上装飾部材の右側面図と突起部付近の拡大図である。
【図１１】同パチンコ遊技機の左装飾部材の正面図である。
【図１２】同パチンコ遊技機の左装飾部材の裏面図と突起部付近の拡大図である。
【図１３】同パチンコ遊技機の左装飾部材の右側面図と突起部付近の拡大図である。
【図１４】同パチンコ遊技機の左装飾部材の上面図と突起部付近の拡大図である。
【図１５】同パチンコ遊技機の右装飾部材の正面図である。
【図１６】同パチンコ遊技機の右装飾部材の裏面図と突起部付近の拡大図である。
【図１７】同パチンコ遊技機の右装飾部材の左側面図と突起部付近の拡大図である。
【図１８】同パチンコ遊技機の右装飾部材の上面図と突起部付近の拡大図である。
【発明を実施するための形態】
【０００９】
以下、本発明の実施の形態における遊技機として、パチンコ遊技機を例にして図面を参照しながら説明する。なお、以下の説明では、パチンコ遊技機を遊技者から見て、手前側をパチンコ遊技機の前側（表面側）とし、奥側をパチンコ遊技機の後側（裏面側）として、前後方向を規定する。また、パチンコ遊技機を遊技者から見て、左手側をパチンコ遊技機の左側とし、右手側をパチンコ遊技機の右側として、左右方向を規定する。
【００１０】
まず、本実施の形態におけるパチンコ遊技機全体の概略構成について、図１〜図３を用いて説明する。図１は、本実施の形態におけるパチンコ遊技機の正面図であり、図２は、同パチンコ遊技機の遊技盤ユニット５の斜視図であり、図３は、図２の遊技盤ユニット５の分解斜視図である。
【００１１】
本実施の形態におけるパチンコ遊技機は、図１に示すように、外枠１、前枠２、窓枠３及び当該窓枠３に覆われた遊技盤６を含む遊技盤ユニット５（図２）などを備えている。また、図示は省略するが、パチンコ遊技機の裏面には、液晶ディスプレイ型の表示装置２０（図２）等の表示制御や可動演出装置（図示省略）及びＬＥＤなどの発光装置（図示省略）等による遊技演出の制御を行う表示演出サブ制御基板等のサブ制御基板、入賞時におけるパチンコ遊技機の動作等を含むパチンコ遊技機の主要な動作を制御する主制御基板、遊技球の払い出し動作を制御する払出基板、各基板等に電源を供給する電源基板等の各種基板が取り付けられている。
【００１２】
具体的に、外枠１は、図１に示すように、パチンコホールの台島に設置されており、前後面が開口するように四角形状に形成されている。前枠２は、外枠１の前端面に左側辺部の垂直な軸を中心に回動可能に装着されている。また、図１に示すように、この前枠２には、窓枠３と、下皿ユニット４と、遊技盤６を含む遊技盤ユニット５（図２）とが取り付けられている。
【００１３】
窓枠３は前枠２の前面に装着されている。この窓枠３は前枠２と一体となって、前記した軸を中心に回動可能となっている。窓枠３の中央には、図１に示すように、正面視で略円形状の窓枠開口部７が形成されている。この窓枠開口部７は、ガラス又はアクリル等の透明板８により被覆されている。また、窓枠開口部７の下方には、上皿ユニット９が配設されており、ここに、賞球や貸球を受けて貯留し、当該遊技球を発射装置（図示省略）に導く上皿１０が配置されている。また、窓枠開口部７の左右上方には、スピーカ１１がそれぞれ配設されている。また、窓枠３には複数の装飾ＬＥＤ（図示省略）が配設されている。
【００１４】
下皿ユニット４は、図１に示すように、前枠２の下部であって窓枠３の下方に取り付けられている。この下皿ユニット４の中央部には、上皿１０から溢れた遊技球が貯留される下皿１２が配設されている。また、下皿ユニット４の右部であって下皿１２の右方には、上皿１０に貯留された遊技球を後述する遊技領域６Ａに発射するための発射装置を遊技者が操作する操作ハンドル１４が配設されている。
【００１５】
遊技盤ユニット５は、図２及び図３に示すように、遊技球が転動する遊技領域６Ａを有する遊技盤６を前側に有し、遊技演出に関する画像を表示する表示装置２０を後側に有しており、遊技盤６と表示装置２０の間に、当該表示装置２０を裏側から取り付けると共に遊技盤６などを表側から取り付けるベースとなる裏箱部材２１、当該裏箱部材２１の表側に取り付けられて遊技盤６の裏側に配置される装飾部材としての上装飾部材２２と左装飾部材２３と右装飾部材２４、同じく裏箱部材２１の表側に取り付けられて遊技盤６の裏側に配置されて発光演出を行う発光演出装置２５を有する構成となっている。そして、裏箱部材２１に、裏側から表示装置２０を取り付け、表側から発光演出装置２５を取り付けた上で、発光演出装置２５の後述する導光板２５Ａ（図３）における表示面２５Ｆ（図３）の上部、左側部、右側部を縁取って各縁部と一部が重なるように上装飾部材２２と左装飾部材２３と右装飾部材２４を導光板２５Ａの前側に取り付け、さらに表側から遊技盤６を取り付けて、これらの部材が一体化した遊技盤ユニット５となっている。
【００１６】
このうち、本実施の形態の遊技盤６及び表示装置２０について、図２及び図３を用いて詳細に説明する。遊技盤６は、図２に示すように、透明な板状の遊技板６Ｋを備えた部材であり、この遊技板６Ｋにおける遊技者側の面である表面側に、遊技球が転動する領域である遊技領域６Ａが形成される部材である。遊技盤６は、窓枠３の後方であって、正面視で前枠２の下部を除く略全面に渡って配置されている。なお、遊技盤６の遊技領域６Ａは、窓枠３の窓枠開口部７の後方に配置され、前方から透明板８を介して視認可能に構成されている。
【００１７】
遊技板６Ｋには、図２に示すように、表面側に、外側ガイドレール６Ｂと内側ガイドレール６Ｃが固定されており、この外側ガイドレール６Ｂと内側ガイドレール６Ｃの間に、発射装置から発射された遊技球の発射通路６Ｄが区画形成されている。また、外側ガイドレール６Ｂ及び内側ガイドレール６Ｃで囲まれた内側領域に、遊技球が転動する遊技領域６Ａが区画形成されている。この遊技領域６Ａには、複数の遊技釘６Ｌが打ち込まれており、発射通路６Ｄを通して遊技領域６Ａ内に放出された遊技球は、遊技釘６Ｌに当りながら転動して遊技領域６Ａ内を流下し、最終的に後述する何れかの入賞口又は遊技領域６Ａの最下方に位置するアウト口６Ｅに入る転動遊技を行う。
【００１８】
遊技盤６の遊技領域６Ａのほぼ中央部の後方には、図２及び図３に示すように、液晶ディスプレイ型の表示装置２０が配置されており、正面視でこの表示装置２０を囲むように遊技板６Ｋに装飾枠６Ｆが配設されている。また、表示装置２０は、大当り遊技状態を発生させるか否かの判定結果に基づき変動演出表示を行う広い面積の表示画面２０Ａを有している。
【００１９】
また、図２に示すように、遊技領域６Ａ内において、装飾枠６Ｆの下方には、第一始動入賞口１５と第二始動入賞口１６が上下に配置されている。この第一始動入賞口１５と第二始動入賞口１６は、遊技球が入賞することによって、遊技者に有利な大当り遊技状態を発生させるか否かの判定を行う起点となるものであり、上方に開口して遊技球が入賞するように形成されている。
【００２０】
また、図２に示すように、第一始動入賞口１５及び第二始動入賞口１６の右方には、大入賞口１７が配置されている。この大入賞口１７は、駆動装置により開閉する開閉蓋１７Ａを備えている。この開閉蓋１７Ａは、遊技状態が大当り遊技状態になると可動し、その際には大入賞口１７が上方に向かってポケット状に幅広く開口し、多数の遊技球が同時かつ連続的に大入賞口１７に入賞可能となる。
【００２１】
また、図２に示すように、遊技領域６Ａ内の所定位置には、遊技球が入賞可能な一般入賞口１９が上方に開口するポケット状に形成されている（本実施の形態では、遊技領域６Ａの左下部に複数の一般入賞口１９が形成されている）。
【００２２】
次に、発光演出装置２５について、図３を用いて説明する。この発光演出装置２５は、図３に示すように、前方に表示面２５Ｆを有する無色透明の導光板２５Ａと、この導光板２５Ａの端面としての上部端面２５Ｅと対向するように配置されたＬＥＤ発光基板２５Ｂと、当該ＬＥＤ発光基板２５Ｂを前後から挟み込んでＬＥＤ発光基板２５Ｂの一部と導光板２５Ａの上部端面２５Ｅを覆う遮光カバー部材２５Ｃ，２５Ｄとを有しており、これらが一体に組み付けられて発光演出装置２５を構成している。
【００２３】
また、導光板２５Ａの裏面（表示面２５Ｆの反対面）の所定箇所には、所定の図形や文字等を形作るように、レーザー加工やエッチング等によって当該裏面を粗面化した反射部（図示省略）が設けられている。そして、ＬＥＤ発光基板２５Ｂから導光板２５Ａの上部端面２５Ｅに光を入射させ、その光が導光板２５Ａの反射部で反射して上部端面２５Ｅと略直交する前方の表示面２５Ｆに導光されることで、表示面２５Ｆの反射部を発光させる発光演出が行われ、前方の遊技者からホログラムのように浮き上がった所定の図形等が視認可能となるように構成されている。
【００２４】
なお、発光演出装置２５の導光板２５Ａは、上部端面２５Ｅから光を入射させるものに限らず、他の端面から光を入射させる構成のものでも良い。また、上部（又は下部）から入射させる光と左部（又は右部）から入射させる光で異なる図形等が視認可能となるように、複数の図形等を発光可能となっている導光板を用いても良い。
【００２５】
次に、本実施の形態の上装飾部材２２と左装飾部材２３と右装飾部材２４について、図４〜図１８を用いて詳細に説明する。図４は、本実施の形態におけるパチンコ遊技機の遊技盤ユニットから遊技盤を外した状態の正面図であり、図５は、図４のＡ−Ａ断面図であり、図６は、図４のＢ−Ｂ断面図である。図７は、本実施の形態におけるパチンコ遊技機の上装飾部材の正面図であり、図８は、その裏面図と突起部付近の拡大図であり、図９は、その上面図と突起部付近の拡大図であり、図１０は、その右側面図と突起部付近の拡大図である。図１１は、本実施の形態におけるパチンコ遊技機の左装飾部材の正面図であり、図１２は、その裏面図と突起部付近の拡大図であり、図１３は、その右側面図と突起部付近の拡大図であり、図１４は、その上面図と突起部付近の拡大図である。図１５は、本実施の形態におけるパチンコ遊技機の右装飾部材の正面図であり、図１６は、その裏面図と突起部付近の拡大図であり、図１７は、その左側面図と突起部付近の拡大図であり、図１８は、その上面図と突起部付近の拡大図である。
【００２６】
なお、図３〜図１８における上装飾部材２２と左装飾部材２３と右装飾部材２４については、装飾が施されるベース部分のみを図示し、装飾部分の図示を省略している。また、図２及び図３における遊技盤６については、装飾の一部の図示を省略している。また、裏箱部材２１については、前記した概略説明に留め、詳細な説明を省略する。
【００２７】
本実施の形態の上装飾部材２２は、図４及び図６に示すように、裏箱部材２１に対して表側から取り付けられるものであり、透明な遊技盤６を介して遊技者から視認可能となる装飾部材である。また、この上装飾部材２２は、左右方向の寸法が発光演出装置２５の導光板２５Ａにおける表示面２５Ｆの左右方向の寸法と略同じに形成されており、図６に示すように、上装飾部材２２の下部が、導光板２５Ａの表示面２５Ｆにおける上部の縁部の前側に重なる位置に配置されるように取り付けられている。
【００２８】
また、この上装飾部材２２は、図７に示すように、複数箇所に設けられた取付孔２２Ｄにネジを通して裏箱部材２１に固定するようになっている。さらに、図８〜図１０に示すように、上装飾部材２２の裏面側の下部には、後方に突出形成された左右方向に細長い対向面２２Ａが設けられており、この対向面２２Ａが導光板２５Ａの表示面２５Ｆにおける上部の縁部と対向するように構成されている。
【００２９】
また、この上装飾部材２２の対向面２２Ａには、図８〜図１０に示すように、複数（本実施の形態では、略等間隔に４箇所）の突起部２２Ｂが形成されている。この突起部２２Ｂは、対向面２２Ａが表示面２５Ｆと接触する際における、表示面２５Ｆに直接接触する突出接触部として表示面２５Ｆ側に突出形成されたものであり、突起部２２Ｂにおいて球面状や略球面状等に形成された曲面部２２Ｃが、導光板２５Ａの表示面２５Ｆと接触する部分となるように構成されている。
【００３０】
また、本実施の形態の左装飾部材２３は、図４及び図５に示すように、裏箱部材２１に対して表側から取り付けられるものであり、透明な遊技盤６を介して遊技者から視認可能となる装飾部材である。また、この左装飾部材２３は、上下方向の寸法が発光演出装置２５の導光板２５Ａにおける表示面２５Ｆの上下方向の寸法と略同じに形成されており、図５に示すように、左装飾部材２３の右部が、導光板２５Ａの表示面２５Ｆにおける左部の縁部の前側に重なる位置に配置されるように取り付けられている。
【００３１】
また、この左装飾部材２３は、図１１に示すように、複数箇所に設けられた取付孔２３Ｄにネジを通して裏箱部材２１に固定するようになっている。さらに、図１２〜図１４に示すように、左装飾部材２３の裏面側の右部には、後方に形成された上下方向に細長い対向面２３Ａが設けられており、この対向面２３Ａが導光板２５Ａの表示面２５Ｆにおける左部の縁部と対向するように構成されている。
【００３２】
また、この左装飾部材２３の対向面２３Ａには、図１２〜図１４に示すように、複数（本実施の形態では、略等間隔に４箇所）の突起部２３Ｂが形成されている。この突起部２３Ｂは、対向面２３Ａが表示面２５Ｆと接触する際における、表示面２５Ｆに直接接触する突出接触部として表示面２５Ｆ側に突出形成されたものであり、突起部２３Ｂにおいて球面状や略球面状等に形成された曲面部２３Ｃが、導光板２５Ａの表示面２５Ｆと接触する部分となるように構成されている。
【００３３】
また、本実施の形態の右装飾部材２４は、図４及び図５に示すように、裏箱部材２１に対して表側から取り付けられるものであり、透明な遊技盤６を介して遊技者から視認可能となる装飾部材である。また、この右装飾部材２４は、上下方向の寸法が発光演出装置２５の導光板２５Ａにおける表示面２５Ｆの上下方向の寸法と略同じに形成されており、図５に示すように、右装飾部材２４の左部が、導光板２５Ａの表示面２５Ｆにおける右部の縁部の前側に重なる位置に配置されるように取り付けられている。
【００３４】
また、この右装飾部材２４は、図１５に示すように、複数箇所に設けられた取付孔２４Ｄにネジを通して裏箱部材２１に固定するようになっている。さらに、図１６〜図１８に示すように、右装飾部材２４の裏面側の左部には、後方に形成された上下方向に細長い対向面２４Ａが設けられており、この対向面２４Ａが導光板２５Ａの表示面２５Ｆにおける右部の縁部と対向するように構成されている。
【００３５】
また、この右装飾部材２４の対向面２４Ａには、図１６〜図１８に示すように、複数（本実施の形態では、略等間隔に４箇所）の突起部２４Ｂが形成されている。この突起部２４Ｂは、対向面２４Ａが表示面２５Ｆと接触する際における、表示面２５Ｆに直接接触する突出接触部として表示面２５Ｆ側に突出形成されたものであり、突起部２４Ｂにおいて球面状や略球面状等に形成された曲面部２４Ｃが、導光板２５Ａの表示面２５Ｆと接触する部分となるように構成されている。
【００３６】
そして、このように導光板２５Ａの表示面２５Ｆと接触する、上装飾部材２２，左装飾部材２３，右装飾部材２４の各対向面２２Ａ，２３Ａ，２４Ａに、各曲面部２２Ｃ，２３Ｃ，２４Ｃで接触するように表示面２５Ｆ側に突出形成された各突出接触部２２Ｂ，２３Ｂ，２４Ｂを有していることで、遊技機の製造時における各装飾部材２２，２３，２４の組付け時などに、各装飾部材２２，２３，２４の各対向面２２Ａ，２３Ａ，２４Ａが導光板２５Ａの表示面２５Ｆの本来触れるべきでない箇所に触れてしまったり、各装飾部材２２，２３，２４の各対向面２２Ａ，２３Ａ，２４Ａで導光板２５Ａの表示面２５Ｆを擦ってしまったりしても、導光板２５Ａの表示面２５Ｆにできるだけ傷が付かないようにすることができる。また、本実施の形態では、突出接触部として曲面部２２Ｃ，２３Ｃ，２４Ｃを有する複数の突起部２２Ｂ，２３Ｂ，２４Ｂが形成されているため、各装飾部材２２，２３，２４の各対向面２２Ａ，２３Ａ，２４Ａが導光板２５Ａの表示面２５Ｆと接触する場合に比べ、表示面２５Ｆとの接触面積を小さくすることができる。このため、表示面２５Ｆを傷付けてしまったとしても、大きな傷が付くのを回避することができる。
【００３７】
以上のように、本実施の形態のパチンコ遊技機（遊技機）は、上部端面（端面）２５Ｅから入射した光を表示面２５Ｆに導光して発光させる導光板２５Ａと、該導光板２５Ａの前記上部端面（端面）２５Ｅに向けて光を出射するＬＥＤ発光基板（光源）２５Ｂとを有する発光演出装置２５と、前記導光板２５Ａの前記表示面２５Ｆを縁取るように配置される上装飾部材（装飾部材）２２，左装飾部材（装飾部材）２３，右装飾部材（装飾部材）２４とを有し、該上装飾部材（装飾部材）２２，左装飾部材（装飾部材）２３，右装飾部材（装飾部材）２４における前記表示面２５Ｆとの対向面２２Ａ，２３Ａ，２４Ａに、前記表示面２５Ｆと接触する際に曲面部２２Ｃ，２３Ｃ，２４Ｃが接触するように前記表示面２５Ｆ側に突出形成された突出接触部２２Ｂ，２３Ｂ，２４Ｂを有しているパチンコ遊技機（遊技機）としたことを特徴とする。
【００３８】
そして、本実施の形態によれば、導光板２５Ａの表示面２５Ｆを縁取るように上装飾部材（装飾部材）２２，左装飾部材（装飾部材）２３，右装飾部材（装飾部材）２４を配置する構成において、上装飾部材（装飾部材）２２，左装飾部材（装飾部材）２３，右装飾部材（装飾部材）２４が表示面２５Ｆと接触する際に、当該上装飾部材（装飾部材）２２，左装飾部材（装飾部材）２３，右装飾部材（装飾部材）２４における表示面２５Ｆとの対向面２２Ａ，２３Ａ，２４Ａに突出形成された突出接触部２２Ｂ，２３Ｂ，２４Ｂの曲面部２２Ｃ，２３Ｃ，２４Ｃが接触するようになっているため、遊技機の組み付けの際に発光演出装置２５の導光板２５Ａに傷が付くのを抑制することが可能となる。
【００３９】
また、本実施の形態のパチンコ遊技機（遊技機）は、前記した構成に加えて、前記突出接触部２２Ｂ，２３Ｂ，２４Ｂは、複数の突起部で構成されており、各突起部２２Ｂ，２３Ｂ，２４Ｂが、前記曲面部２２Ｃ，２３Ｃ，２４Ｃを有していることを特徴とする。
【００４０】
そして、本実施の形態によれば、導光板２５Ａの表示面２５Ｆを縁取るように上装飾部材（装飾部材）２２，左装飾部材（装飾部材）２３，右装飾部材（装飾部材）２４を配置する構成において、上装飾部材（装飾部材）２２，左装飾部材（装飾部材）２３，右装飾部材（装飾部材）２４が表示面２５Ｆと接触する際に、当該上装飾部材（装飾部材）２２，左装飾部材（装飾部材）２３，右装飾部材（装飾部材）２４における表示面２５Ｆとの対向面２２Ａ，２３Ａ，２４Ａに突出形成された複数の突起部２２Ｂ，２３Ｂ，２４Ｂの曲面部２２Ｃ，２３Ｃ，２４Ｃが接触するようになっているため、遊技機の組み付けの際に発光演出装置２５の導光板２５Ａに傷が付くのをさらに抑制することが可能となる。
【００４１】
なお、以上説明した実施の形態は、本発明の理解を容易にするために記載されたものであって、本発明を限定するために記載されたものではない。
【００４２】
例えば、前記した実施の形態では、パチンコ遊技機を用いて説明したが、これに限るものではなく、本発明は、パチスロ遊技機や雀球遊技機、アレンジボール等の他の遊技機にも適用可能である。
【００４３】
また、前記した実施の形態では、組付け時に導光板２５Ａの表示面２５Ｆの縁部に接触する各装飾部材２２，２３，２４の突起部２２Ｂ，２３Ｂ，２４Ｂは、組付け終了後も表示面２５Ｆに接触したままの状態となっていたが、これに限るものではなく、遊技機の製造工程が進むと、組付け時に表示面と接触していた各装飾部材の突出接触部の全部又は一部が、表示面と非接触となるように構成されていても良い。
【００４４】
また、前記した実施の形態では、導光板２５Ａの表示面２５Ｆにおける上部、下部、左部、右部の４箇所の縁部のうち、上部、左部、右部の３箇所の縁部と重なるように３つの装飾部材２２，２３，２４が配置されており、その全ての表示面２５Ｆに対する対向面２２Ａ，２３Ａ，２４Ａに、曲面部２２Ｃ，２３Ｃ，２４Ｃを有する突起部２２Ｂ，２３Ｂ，２４Ｂが形成されていたが、これに限るものではない。例えば、装飾部材が１箇所の縁部のみに設けられていても良いし、２箇所の縁部に設けられていても良いし、４箇所全ての縁部に設けられていても良い。また、導光板の表示面を傷付ける可能性が低い場合や多少の傷があっても目立たない場合などには、設けられた装飾部材の対向面の全てに曲面部を有する突出接触部を設けなくても良く、必要な箇所のみに当該突出接触部を設けても良い。
【００４５】
また、前記した実施の形態では、各装飾部材２２，２３，２４において導光板２５Ａの表示面２５Ｆと接触する突起部（突出接触部）２２Ｂ，２３Ｂ，２４Ｂは、球面形状又は略球面形状に形成された曲面部２２Ｃ，２３Ｃ，２４Ｃを有していたが、これに限るものではなく、導光板の表示面を傷付け難い面形状であれば、曲面部が滑らかな波形等の他の曲面形状となった突出接触部であっても良い。
【００４６】
また、前記した実施の形態では、各装飾部材２２，２３，２４において導光板２５Ａの表示面２５Ｆと接触する突出接触部として、曲面部２２Ｃ，２３Ｃ，２４Ｃを有する複数の突起部２２Ｂ，２３Ｂ，２４Ｂが形成されていたが、これに限るものではなく、例えば、表示面と接触する箇所が曲面部に形成された蒲鉾形状の突出接触部が１つ又は複数設けられている等、他の形状に形成された突出接触部であっても良い。
【００４７】
また、前記した実施の形態では、導光板２５Ａの前側（表面側）に位置する表示面２５Ｆにおける縁部に重なるように装飾部材２２，２３，２４が配置されており、当該装飾部材２２，２３，２４が導光板２５Ａの表示面２５Ｆと接触するようになっていたが、これに限るものではなく、導光板の表示面の裏面側に位置する反対面（裏面）における縁部に重なるように装飾部材が配置されており、当該装飾部材が導光板の反対面（裏面）と接触するようになっていても良い。すなわち、端面から入射した光を表示面に導光して発光させる導光板と、該導光板の前記端面に向けて光を出射する光源とを有する発光演出装置と、前記導光板の前記表示面の反対面（裏面）を縁取るように配置される装飾部材とを有し、該装飾部材における前記反対面（裏面）との対向面に、前記反対面（裏面）と接触する際に曲面部が接触するように前記反対面（裏面）側に突出形成された突出接触部を有している遊技機でも良い。
【符号の説明】
【００４８】
２２…上装飾部材（装飾部材）、２２Ａ…対向面、２２Ｂ…突起部（突出接触部）、２２Ｃ…曲面部、２３…左装飾部材（装飾部材）、２３Ａ…対向面、２３Ｂ…突起部（突出接触部）、２３Ｃ…曲面部、２４…右装飾部材（装飾部材）、２４Ａ…対向面、２４Ｂ…突起部（突出接触部）、２４Ｃ…曲面部、２５…発光演出装置、２５Ａ…導光板、２５Ｂ…ＬＥＤ発光基板（光源）、２５Ｅ…上部端面（端面）、２５Ｆ…表示面
【図１】
2015077224.tif 000003
【図２】
2015077224.tif 000004
【図３】
2015077224.tif 000005
【図４】
2015077224.tif 000006
【図５】
2015077224.tif 000007
【図６】
2015077224.tif 000008
【図７】
2015077224.tif 000009
【図８】
2015077224.tif 000010
【図９】
2015077224.tif 000011
【図１０】
2015077224.tif 000012
【図１１】
2015077224.tif 000013
【図１２】
2015077224.tif 000014
【図１３】
2015077224.tif 000015
【図１４】
2015077224.tif 000016
【図１５】
2015077224.tif 000017
【図１６】
2015077224.tif 000018
【図１７】
2015077224.tif 000019
【図１８】
2015077224.tif 000020